(57)【要約】【課題】清掃用モップの構造を提供する。【解決手段】本考案は、モップの構造に係り、取っ手にストッパー定置装置を設け、軸の上を移動する牽引部材の内側に数個の回転ストッパーと対応することで、牽引部材が外部にある可動取っ手が動く際、弾性ストッパーが働き、絞りの作業をするのに便利である。軸の端部に結合台を設け、牽引部材の端部にある連結部の間に払拭体を設け、該払拭体の端を結束バンドで牽引部材の端と結合し、反対側は結合部材を弾性フックを使って結合台に固定することで、払拭体を素早く結合できる。軸と結合台の間に緊迫部材を設け、結合台が素早く確実に軸の端部に固定することができるため、全体的に使用が便利且つ組立が素早く便利にできる。【選択図】  図１
0003125914.tif 000002
【実用新案登録請求の範囲】
【請求項１】
取っ手の端に軸を接続し、軸を牽引部材に挿入、牽引部材は本体を具有し、本体の外部
に螺旋状の導引部を設け、取っ手と反対側の牽引部材本体は一体成型した連結部があり、
牽引部材から延伸した軸の端部に結合台を連結し、結合台と連結部の間に布テープ状の払
拭体を設け、牽引部材の外部に可動取っ手を設け、該可動取っ手の内側に、牽引部材の導
引部に合わせた回転部を設け、
軸と牽引部材が対応する場所に定置装置及び数個の回転ストッパーを設け、
定置装置はストッパーを具有し、該ストッパーは回転ストッパーを押さえる突出した回
転ストッパーの形態を形成し、
数個の回転ストッパーはそれぞれカーブ部と制止部を具有し、
定置装置と数個の回転ストッパーの動きは、カーブ部に導引され、制止部でストップす
る形態を成すことを特徴とする清掃用モップの構造。
【請求項２】
軸に貫通する定置部を設けて定置装置を該所に設置し、該定置装置は軸内部を貫通して定
置部まで突き出すストッパーを具有し、該ストッパーは軸内部に弾性部品を設け、
牽引部材本体の内直径部に対応する場所に数個の回転ストッパーを設け、該回転ストッ
パーにカーブ状と軸の内直径と垂直を成す制止部を持つことを特徴とする請求項１記載の
清掃用モップの構造。
【請求項３】
ストッパーは円柱型の形態を特徴とする請求項２記載の清掃モップの構造。
【請求項４】
取っ手の端に軸を接続し、軸を牽引部材に挿入、牽引部材は本体を具有し、本体の外部
に螺旋状の導引部を設け、取っ手と反対側の牽引部材本体に一体成型した連結部があり、
牽引部材から延伸した軸の端部に結合台を連結し、結合台と連結部の間に布テープ状の払
拭体を設け、牽引部材の外部に可動取っ手を設け、該可動取っ手の内側に、牽引部材の導
引部に合わせた回転部を設け、
結合台と対応する軸の端に円錐状の緊迫部を設け、該緊迫部の軸と平行する溝を設け、
該緊迫部の外側にネジみぞを設け、
緊迫部材を予め軸の外部に嵌め、該緊迫部材の中央に軸を通し、結合台の緊迫部に対応
する場所にカーブ状の緊迫部を設置し、該緊迫部は対応する内側にネジみぞを具有するこ
とを特徴とする請求項１記載の清掃用モップの構造。
【請求項５】
取っ手の端に軸を接続し、軸を牽引部材に挿入、牽引部材は本体を具有し、本体の外部
に螺旋状の導引部を設け、取っ手と反対側の牽引部材本体に一体成型した連結部があり、
牽引部材から延伸した軸の端部に結合台を連結し、結合台と連結部の間に布テープ状の払
拭体を設け、牽引部材の外部に可動取っ手を設け、該可動取っ手の内側に、牽引部材の導
引部に合わせた回転部を設け、
結合台と対応する払拭体の開口部サイドに接合部を設け、
払拭体と対応する接合部材の端部に貫通孔を具有し、
接合部材の端部は結合台に延伸し、払拭体を通す固定部品を形成することを特徴とする
請求項１記載の清掃用モップの構造。
【請求項６】
前記固定部品の先端は弾性のあるフック状を形成することを特徴とする請求項５記載の
清掃モップの構造。
【請求項７】
取っ手の端に軸を接続し、軸を牽引部材に挿入、牽引部材は本体を具有し、本体の外部
に螺旋状の導引部を設け、取っ手と反対側の牽引部材本体に一体成型した連結部があり、
牽引部材から延伸した軸の端部に結合台を連結し、結合台と連結部の間に布テープ状の払
拭体を設け、牽引部材の外部に可動取っ手を設け、該可動取っ手の内側に、牽引部材の導
引部に合わせた回転部を設け、
払拭体と対応する牽引部材の連結部の端がリング状になっており、結束バンドを通して
、牽引部材の連結部と固定することを特徴とする請求項１記載の清掃用モップの構造。
【請求項８】
連結部はラッパ口の形状を呈し、外縁が二層の凸円盤状を結合した状態を形成し、ラッ
パ口の凸円盤状の外縁に凸状の歯車のストッパーがあることを特徴とする請求項７記載の
清掃用モップの構造。 
【考案の詳細な説明】
【技術分野】
【０００１】
本考案はモップの構造に関し、特にモップを使用する際、モップ全体を回転することに
より、払拭体が開く仕組みを介し、弾性フック及び迅速な組み立てが可能なことを特徴と
する清掃用モップに関する。
【背景技術】
【０００２】
公知のモップは多種の形態があり、最も一般的なのがモップの払拭体に軸を接続し、払
拭体は綿或は綿のテープ状のものを括りつけた形態であり、糸がほつれやすく、確実に乾
燥ができない欠点がある。
【０００３】
それを鑑みて、ポリビニルアルコール製のスポンジモップが発明されたが、使用する前
に水に浸す時間が長いために不便が生じ、また、スポンジモップを使用する際に隅などの
汚れを綺麗に取ることができず、汚れを確実にスポンジの上に粘着させることができない
ため、改善する必要があった。
【０００４】
上記の欠点を鑑みて、迅速便利にモップの部材を結合或は組立ができ、使用する際も作
業がスムーズになるモップを開発する。
【考案の開示】
【考案が解決しようとする課題】
【０００５】
本考案の第１の目的は、取っ手と軸の上を移動する牽引部材の間に設置するストッパー
定置装置と、回転ストップ仕組みを介し、牽引部材が絞りの作業をする際、有効的且つ素
早く定置ストップし、絞りの状態を保つことで、より実用性を増す目的に達する清掃用モ
ップの構造を提供することにある。
【０００６】
本考案の第２の目的は、牽引部材を軸の端部にある結合台の間に設置し、結束バンドの
仕組みを介し、弾性フックの接合部材の設置により、迅速にモップ本体を分解する清掃用
モップの構造を提供することにある。
【０００７】
本考案の第３の目的は、軸と結合台の間に緊迫部材及び該緊迫部材と対応する仕組みに
係り、迅速的に組み立てられる清掃用モップの構造を提供することにある。
【課題を解決するための手段】
【０００８】
上述の目的を解決するために、本考案は結束バンドや弾性フック、緊迫部材等を設置す
ることで、迅速便利にモップの部材を分解或は組立ができ、使用に便利な清掃用のモップ
の構造を提供するものである。すなわち、本考案は、下記の構造を特徴としている。
【０００９】
（１）取っ手の端に軸を接続し、軸を牽引部材に挿入、牽引部材は本体を具有し、本体の
外部に螺旋状の導引部を設け、取っ手と反対側の牽引部材本体は一体成型した連結部があ
り、牽引部材から延伸した軸の端部に結合台を連結し、結合台と連結部の間に布テープ状
の払拭体を設け、牽引部材の外部に可動取っ手を設け、該可動取っ手の内側に、牽引部材
の導引部に合わせた回転部を設け、軸と牽引部材が対応する場所に定置装置及び数個の回
転ストッパーを設け、定置装置はストッパーを具有し、該ストッパーは回転ストッパーを
押さえる突出した回転ストッパーの形態を形成し、数個の回転ストッパーはそれぞれカー
ブ部と制止部を具有し、定置装置と数個の回転ストッパーの動きは、カーブ部に導引され
、制止部でストップする形態を成すことを特徴とする清掃用モップの構造。
【００１０】
（２）軸に貫通する定置部を設けて定置装置を該所に設置し、該定置装置は軸内部を貫通
して定置部まで突き出すストッパーを具有し、該ストッパーは軸内部に弾性部品を設け、
牽引部材本体の内直径部に対応する場所に数個の回転ストッパーを設け、該回転ストッ
パーにカーブ状と軸の内直径と垂直を成す制止部を持つことを特徴とする上記（１）の清
掃用モップの構造。
【００１１】
（３）ストッパーは円柱型の形態を特徴とする上記（２）の清掃モップの構造。
【００１２】
（４）取っ手の端に軸を接続し、軸を牽引部材に挿入、牽引部材は本体を具有し、本体の
外部に螺旋状の導引部を設け、取っ手と反対側の牽引部材本体に一体成型した連結部があ
り、牽引部材から延伸した軸の端部に結合台を連結し、結合台と連結部の間に布テープ状
の払拭体を設け、牽引部材の外部に可動取っ手を設け、該可動取っ手の内側に、牽引部材
の導引部に合わせた回転部を設け、結合台と対応する軸の端に円錐状の緊迫部を設け、該
緊迫部の軸と平行する溝を設け、該緊迫部の外側にネジみぞを設け、緊迫部材を予め軸の
外部に嵌め、該緊迫部材の中央に軸を通し、結合台の緊迫部に対応する場所にカーブ状の
緊迫部を設置し、該緊迫部は対応する内側にネジみぞを具有することを特徴とする上記（
１）の清掃用モップの構造。
【００１３】
（５）取っ手の端に軸を接続し、軸を牽引部材に挿入、牽引部材は本体を具有し、本体の
外部に螺旋状の導引部を設け、取っ手と反対側の牽引部材本体に一体成型した連結部があ
り、牽引部材から延伸した軸の端部に結合台を連結し、結合台と連結部の間に布テープ状
の払拭体を設け、牽引部材の外部に可動取っ手を設け、該可動取っ手の内側に、牽引部材
の導引部に合わせた回転部を設け、結合台と対応する払拭体の開口部サイドに接合部を設
け、払拭体と対応する接合部材の端部に貫通孔を具有し、接合部材の端部は結合台に延伸
し、払拭体を通す固定部品を形成することを特徴とする上記（１）の清掃用モップの構造
。
【００１４】
（６）前記固定部品の先端は弾性のあるフック状を形成することを特徴とする上記（５）
の清掃モップの構造。
【００１５】
（７）取っ手の端に軸を接続し、軸を牽引部材に挿入、牽引部材は本体を具有し、本体の
外部に螺旋状の導引部を設け、取っ手と反対側の牽引部材本体に一体成型した連結部があ
り、牽引部材から延伸した軸の端部に結合台を連結し、結合台と連結部の間に布テープ状
の払拭体を設け、牽引部材の外部に可動取っ手を設け、該可動取っ手の内側に、牽引部材
の導引部に合わせた回転部を設け、払拭体と対応する牽引部材の連結部の端がリング状に
なっており、結束バンドを通して、牽引部材の連結部と固定することを特徴とする上記（
１）の清掃用モップの構造。
【００１６】
（８）連結部はラッパ口の形状を呈し、外縁が二層の凸円盤状を結合した状態を形成し、
ラッパ口の凸円盤状の外縁に凸状の歯車のストッパーがあることを特徴とする上記（７）
の清掃用モップの構造。 
【考案の効果】
【００１７】
本考案は定置装置及び回転ストッパー等の設置により、払拭体の余分な水分を絞ること
が可能なことを特徴とする清掃用モップに関する。
【考案を実施するための最良の形態】
【００１８】
本考案の構造、特徴及び目的等を以下に説明する。実施状態の説明により本考案の保護
範囲が限定されるものではない。
【００１９】
図１、2、3が示すように、本考案の多角形の貫通孔取っ手(10)の端に円柱形の軸(11)が
あり、軸(11)を中空の円柱状の牽引部材(12)の中に入れ、牽引部材(12)の円柱状直管の本
体(120)の外部に螺旋状の導引部(121)を設け、牽引部材(12)の本体(120)の取っ手(10)と
反対側に連結部(122)を設け、該連結部(122)はラッパ口の形態に係り、外縁が二層の凸円
盤状を結合した状態を形成する。
【００２０】
ラッパ口の凸円盤状の外縁に凸状の歯車のストッパー(123)があり、払拭体(14)の端部と
噛合し、払拭体(14)が確実に牽引部材(12)の回転動作に追随する。軸(11)から延びる牽引
部材(12)から延伸した軸の端部は結合台(13)と連結し、該結合台(13)と連結部(122)の間
に布製のテープ状の払拭体(14)を設け、牽引部材(12)の外部に可動取っ手(15)を設ける。
【００２１】
可動取っ手(15)の内側に螺旋状の回転部(150)を設け、牽引部材(12)の導引部(121)と組
み合わせることで、ユーザーは片手で可動取っ手(15)を握り、牽引部材(12)を払拭体(14)
及び軸(11)と一緒に動かし、回転の動作を行うことで、払拭体(14)が遠心力で、外向きに
拡張し、清掃用モップとして使用する。
【００２２】
本考案の主な特徴は、軸(11)は中空の管に係り、適切な場所に管を貫通する孔を持つ定
置部(110)を設け、定置装置(20)を該所に設置し、該定置装置(20)は軸(11)の内部と定置
部(110)を通り、ストッパー(21)まで突き抜けている。該ストッパー(21)は円柱型の形態
を成し、軸(11)内側の端部にV字型の弾性部品(22)を設けることで、ストッパー(21)が定
置部(110)の内外を弾性的に移動できる。
【００２３】
前記の牽引部材(12)の本体(120)の内側、すなわち内直径部に対応する場所に数個の回
転ストッパー(30)を設け、該回転ストッパー(30)はカーブ部(31)、及び本体(120)の内側
表面、すなわち内直径と垂直を成す制止部(32)を具有する。ユーザーが可動取っ手(15)を
握り、牽引部材(12)の連結部(122)を下端に移動すると、可動取っ手(15)は同時に下端に
移動する。
【００２４】
図4、5が示すように、可動取っ手(15)の内側にある回転部(150)は牽引部材(12)の導引
部(121)と組み合わせることで、牽引部(12)を回転させる。ユーザーが取っ手(10)を握り
、軸(11)を固定し、払拭体(14)をねじることで、払拭体(14)を絞ると同時に、該定置装置
(20)のストッパー(21)は各回転ストッパー(30)のカーブ部(31)のカーブに沿って滑り、制
止部(32)でストップする。
【００２５】
可動取っ手(15)が動作をストップする際、ねじられた払拭体(14)は牽引部材(12)に対し
、元に戻ろうとする力が働く。この時、回転ストッパー(30)の制止部(32)により、定置装
置(20)のストッパー(21)が働き、払拭体(14)は確実に絞られる状態となる。
【００２６】
可動取っ手(15)が牽引部(12)を押す際、可動取っ手(15)と牽引部材(12)が互いに回転部(
150)と導引部(121)と螺旋状の噛合状態を保持し、ユーザーが可動取っ手(15)を固定する
ことで、牽引部材(12)は定置装置(20)によって回転しないため、牽引部材(12)は可動取っ
手(15)の移動する方向にのみ沿うため、払拭体(14)を絞り、余分の水分を搾り出すことが
できる。牽引部材(12)が定置装置(20)の位置を離れたとき、該牽引部材(12)は回転フリー
の状態となる。
【００２７】
図1、2、3が示すのは、本考案の結合台(13)と軸(11)及び払拭体(14)を組み合わせた形
態を呈し、該結合台(13)が軸(11)と対応する端部に錐状の緊迫部(132)を設け、該緊迫部(
132)に軸と平行する溝(133)を設けているため、緊迫部(132)が内側に収縮及び外側に拡張
する弾性力を持つ。該結合台の緊迫部(132)の外部に外螺旋状のネジみぞを設け、軸(11)
の外部にある緊迫部材(40)と組み合わせる。
【００２８】
該緊迫部材(40)は中空状のものであり、軸(11)を通すためのものである。結合台の緊迫
部(132)と対応する場所にカーブ状の緊迫部(41)を設け、該緊迫部(41)は対応する内側に
ネジみぞを具有するため、結合台の緊迫部(132)に固定する。また、相互のカーブを介し
、結合台の緊迫部(132)が内側に収縮、或は外側に拡張する状態を呈し、結合台(13)は緊
迫部材(40)を介し、固定或は緩めるため、素早く便利に軸(11)の端部から分解し、両者の
部材が破損した際に交換できる。
【００２９】
結合台(13)が払拭体(14)のラッパ口、すなわち開口部サイドと対応する両側に穴を具有
する接合部(131)を設け、接合部材(50)と組み合わせる。払拭体(14)の一端を結合台(13)
に固定し、払拭体(14)は中段部分を軸と平行して切断した布テープ状を呈す筒状の仕組み
であり、接合部材(50)と対応する端部に孔(140)を具有し、反対側に結束バンド(141)を通
すリング状を形成し、結束バンド(141)を通し、牽引部材(12)の連結部(122)に固定する。
【００３０】
払拭体(14)の一端は前記の接合部材(50)を結合台(13)に固定し、該接合部材(50)はU字型
の部材であり、両端を結合台(13)に延伸する固定部品(51)を形成し、払拭体(14)の孔(140
)を通し、固定部品(51)の端部に弾性のあるフック状の先端(510)が、結合台(13)の結合部
(131)と相互に嵌合して固定することで、払拭体(14)の端部が接合部材(50)と共に、弾性
的に結合台(13)に固定する。分解する場合、直接接合部材(50)の両側を押し、フック状の
先端(510)を接合部(131)から離すだけで、素早く払拭体(14)を外して交換することができ
る。
【００３１】
前記の構造により二つの機能が備わる。一つ目の機能は、定置装置(20)と回転ストッパ
ー(30)の設置により、牽引部材(12)と軸(11)が可動取っ手(15)を移動する際、一方向進行
により、払拭体(14)が回転方向を戻さずに絞るだけでなく、下端に押すことで、水分を絞
りきる効果を増す。二つ目の機能は、結合台(13)と軸(11)は回して分解組立をし、結合台
(13)と払拭体(14)は弾性的に嵌合し、払拭体(14)と牽引部材(12)を結束バンドで結合する
など、素早く分解或は組立てることができる。 
【図面の簡単な説明】
【００３２】
【図１】本考案の立体分解略図である。
【図２】本考案の外観略図である。
【図３】本考案の組み立て断面図である。
【図４】本考案の定置装置と回転ストッパーの組合せにより、軸を一方向進行の牽引部ストッパーの略図である。
【図５】本考案の図４の動作略図である。
【符号の説明】
【００３３】
（１０）取っ手            
（１１）軸                
（１１０）定置部        
（１２）牽引部材          
（１２０）本体              
（１２１）導引部          
（１２２）連結部          
（１２３）ストッパー      
（１３）  結合台          
（１３１）接合部          
（１３２）緊迫部          
（１３３）溝              
（１４）払拭体            
（１４０）孔              
（１４１）結束バンド      
（１５）可動取っ手        
（１５０）回転部          
（２０）定置装置          
（２１）ストッパー        
（２２）弾性部品          
（３０）回転ストッパー    
（３１）カーブ部        
（３２）制止部            
（４０）緊迫部材          
（４１）緊迫部            
（５０）接合部材          
（５１）固定部品          
（５１０）フック状の先端  
【図１】
0003125914.tif 000003
【図２】
0003125914.tif 000004
【図３】
0003125914.tif 000005
【図４】
0003125914.tif 000006
【図５】
0003125914.tif 000007